(57)【要約】【課題】スクリーン保持棒が磁性異物の除去の際の振動中にがたつかず、係合部がぶつかり合わず、緩みなく強固に係合可能な、電磁分離機のスクリーン保持棒支持機構を提供。【解決手段】電磁分離機の電磁石の中に設置された筒内に配置された磁性異物を磁着するスクリーンを上下方向に多層に保持するスクリーン保持棒１の下端に形成されるスクリーン保持棒下端係合部２と、前記筒の下端に配置されるとともに、スクリーン保持棒下端係合部２に係合してスクリーン保持棒１を支持するスクリーン保持棒支持部６とからなる、電磁分離機のスクリーン保持棒支持機構において、スクリーン保持棒下端係合部２の下端には、両側に対向して一対の脚部３，３が下向きに平行に形成された係合凹部４と、係合凹部４の奥に突起係合穴５が形成され、スクリーン保持棒支持部６には、係合凹部４に係合する第１段目の突起７と、この第１段目の突起７の上に突起係合穴５に係合する第２段目の突起８が段状に形成されている。【選択図】図２
2015020151.tif 000002
【特許請求の範囲】
【請求項１】
粉体から磁性を有する磁性異物を磁着して分離する電磁分離機の電磁石の中に設置された筒内に配置された磁性異物を磁着するスクリーンを上下方向に多層に保持するスクリーン保持棒の下端に形成されるスクリーン保持棒下端係合部と、前記筒の下端に配置されるとともに、前記スクリーン保持棒下端係合部に係合してスクリーン保持棒を支持するスクリーン保持棒支持部とからなる、電磁分離機のスクリーン保持棒支持機構において、
前記スクリーン保持棒下端係合部の下端には、両側に対向して一対の脚部が下向きに平行に形成された係合凹部と、係合凹部の奥の面の中央に突起係合穴が形成され、
前記スクリーン保持棒支持部には、前記係合凹部に係合する第１段目の突起と、この第１段目の突起の上に前記突起係合穴に係合する第２段目の突起が段状に形成されていることを特徴とする電磁分離機のスクリーン保持棒支持機構。
【請求項２】
前記スクリーン保持棒下端係合部の係合凹部の対向する内面と、前記スクリーン保持棒支持部第１段目の突起の前記係合凹部に係合する対向する面が平行な平面に形成されていることを特徴とする請求項1に記載の電磁分離機のスクリーン保持棒支持機構。
【請求項３】
前記スクリーン保持棒下端係合部の突起係合穴の横断面及び前記スクリーン保持棒支持部の第２段目の突起の横断面が、円形又は多角形に形成されていることを特徴とする請求項1又は２に記載の電磁分離機のスクリーン保持棒支持機構。
【発明の詳細な説明】
【技術分野】
【０００１】
本発明は、粉体中に含まれる鉄粉などの磁性を有する異物（以下「磁性異物」という。）を電磁作用により磁化させたスクリーンに磁着させ、その後スクリーンから磁性異物を除去する電磁分離機に関し、特に電磁分離機内に上下方向に配置される複数枚のスクリーンを保持するためのスクリーン保持棒支持機構に関する。
【背景技術】
【０００２】
食品、化学、医薬等の分野において、粉体中から磁性異物を除去するために電磁分離機が使用されている。電磁分離機内の筒の中には、板状の磁性材料からなるスクリーンがスクリーン保持棒に多層に重ねられて配置される。スクリーンを電磁作用で磁化させた後、筒上部の開口から粉体を供給し、粉体中に磁性異物が含まれていると、磁性異物は磁化したスクリーンに磁着し、その後スクリーンを消磁して磁性異物を落として分離する方式が知られている（特許文献１）。
【０００３】
従来の電磁分離機は、図３及び図４において、磁性材料からなる複数のスクリーン１０がスクリーン保持棒１１により上下方向に多層に保持され、上端及び下端が開口している筒１２の中空部に配置され、筒１２は電磁石１３の中心に設置されている。筒１２の下部にはバイブレーター１４が装着される。筒１２の下部は、製品排出口１５と磁性異物排出口１６が接続されている。製品排出口１５と磁性異物排出口１６はシリンダ１７でダンパ１８を回転させて切り替える。
【０００４】
スクリーン１０は、例えば、図４に示すように、耐食性及び強度のあるフェライト系ステンレス鋼等の磁性材料からなる直線状のグレード１９が間隔をおいて並べられて支持部材２０に固定され、中央にスクリーン保持棒１１を通す環状の貫通部２１が形成されている。
【０００５】
図３、図５に示すように、複数のスクリーン１０がスクリーン保持棒１１により上下方向に多層に保持され、スクリーン保持棒１０は、その下端が、筒１２の中空部内に固定部材２２で固定されたスクリーン保持棒支持部２３に支持される。
【０００６】
スクリーン保持棒１０の下端の挿入部２４は、逆円錐形に形成され、スクリーン保持棒支持部２３に挿入され、支持される。スクリーン保持棒支持部２３には、挿入されるスクリーン保持棒の挿入部２４を支持する挿入部支持凹部２５が形成される。挿入部支持凹部２５は、逆円錐形の挿入部２４の形状に合わせて同じく逆円錐形に形成されている。挿入部２４及び挿入部支持凹部２５を逆円錐形にしてテーパーが形成されることにより、スクリーン保持棒１０の挿入部２４の先端が挿入部支持凹部２５のテーパーにガイドされて容易に挿入できるようになる。
【０００７】
前記電磁分離機の使用方法は、次のとおりである。図３〜５において、スクリーン保持棒１１をスクリーン１０の環状貫通部２１に通して複数のスクリーン１０を上下方向に多層に保持し、スクリーン保持棒下端の挿入部２４を筒１２の下端に固定されたスクリーン保持棒支持部２３の挿入部支持凹部２５に挿入して支持する。その後、スクリーン保持棒１１の上部を筒１２に固定することによりスクリーン１０が筒１２内にセットされる。
【０００８】
スクリーン１０のセット完了後、筒１２の上部から筒内に供給された磁性異物を含む粉体は、電磁石１３により磁化されたスクリーン１０の隙間を通過する際に磁性異物が磁着する。磁性異物が除去された製品は、スクリーン１０を通過した後、ダンパ１８により製品排出口１５から排出する。
【０００９】
所定量あるいは所定時間の処理が終了すると、ダンパ１８を磁性異物排出口１６に切り替え、電磁石１３をオフにしてスクリーン１０を消磁し、バイブレーター１４の振動により、スクリーン１０に付着している磁性異物を除去する。必要に応じて、スクリーン保持棒１１でスクリーン１０を取り出し、清掃して磁性異物を除去する。清掃されたスクリーン１０は、スクリーン保持棒１１に多層に積層され、再び筒１２の内部に挿入されてセットされ、磁性異物の分離作業が開始される。
【先行技術文献】
【特許文献】
【００１０】
【特許文献１】特開２０１１−１４３３４６号公報
【発明の概要】
【発明が解決しようとする課題】
【００１１】
前述の従来の電磁分離機のスクリーン支持機構では、スクリーン保持棒挿入部及び挿入部支持凹部が逆円錐形に形成されていることから、スクリーン保持棒の挿入部の先端が挿入部支持凹部で動いて回転しやすくなって、スクリーン保持棒の挿入部の先端と挿入部支持凹部が擦れて摩耗によって異物が発生して粉体に混入するという問題があった。
【００１２】
そこで、本発明は、電磁分離機内に配置されるスクリーン保持棒とスクリーン保持棒支持部の係合部が運転中に擦り合わないように係合させて異物の発生を防止し、異物の粉体への混入を防止することが可能なスクリーン保持棒支持機構を提供するものである。
【課題を解決するための手段】
【００１３】
本願請求項１に記載の発明は、粉体から磁性を有する磁性異物を磁着して分離する電磁分離機の電磁石の中に設置された筒内に配置された磁性異物を磁着するスクリーンを上下方向に多層に保持するスクリーン保持棒の下端に形成されるスクリーン保持棒下端係合部と、前記筒の下端に配置されるとともに、前記スクリーン保持棒下端係合部に係合してスクリーン保持棒を支持するスクリーン保持棒支持部とからなる、電磁分離機のスクリーン保持棒支持機構において、前記スクリーン保持棒下端係合部の下端には、両側に対向して一対の脚部が下向きに平行に形成された係合凹部と、係合凹部の奥の面の中央に突起係合穴が形成され、前記スクリーン保持棒支持部には、前記係合凹部に係合する第１段目の突起と、この第１段目の突起の上に前記突起係合穴に係合する第２段目の突起が段状に形成されていることを特徴とする電磁分離機のスクリーン保持棒支持機構である。
【００１４】
本願請求項２に記載の発明は、前記スクリーン保持棒下端係合部の係合凹部の対向する内面と、前記スクリーン保持棒支持部第１段目の突起の前記係合凹部に係合する対向する面が平行な平面に形成されていることを特徴とする請求項1に記載の電磁分離機のスクリーン保持棒支持機構である。
【００１５】
本願請求項３に記載の発明は、前記スクリーン保持棒下端係合部の突起係合穴の横断面及び前記スクリーン保持棒支持部の第２段目の突起の横断面が円形又は多角形に形成されていることを特徴とする請求項1又は２に記載の電磁分離機のスクリーン保持棒支持機構である。
【発明の効果】
【００１６】
スクリーン保持棒支持機構は、第１段目の突起が係合凹部に係合するとともに、第２段目の突起が係合凹部の奥の面の突起係合穴に係合するので、スクリーン保持棒とスクリーン保持棒支持部の回転を防止できるので、突起と係合凹部との間の回転による擦れによる異物の発生および異物の粉体への混入を防止できる。
【００１７】
また、１段目の突起の両側面の平行な平面とこれに接する係合凹部の内面を平行とすることにより、スクリーン保持棒とスクリーン保持棒支持部が回転することもないので、擦れによる異物の発生を確実に防止することができる。
【００１８】
また、緩みなく係合することにより、バイブレーターの振動中にスクリーン保持棒とスクリーン保持棒支持部のがたつき、擦り合いもないので、摩耗を抑えることができる。
【図面の簡単な説明】
【００１９】
【図１】（ａ）は本発明のスクリーン保持棒下端係合部、（ｂ）は本発明のスクリーン保持棒支持部である。
【図２】本発明のスクリーン保持棒及びスクリーン保持棒支持部の全体図である。
【図３】電磁分離機の一例を示す説明図である。
【図４】スクリーンの一例を示す説明図である。
【図５】従来のスクリーン保持棒及びスクリーン保持棒支持部の全体図である。
【発明を実施するための形態】
【００２０】
スクリーン保持棒には、前述のとおり、図３に示すように、磁性材料からなるスクリーンが上下方向に多層に保持される。
【００２１】
図1及び図２において、スクリーン保持棒１の下端には、スクリーン保持棒下端係合部２が形成され、その下面には、中央部を切り欠いて両側に対向して一対の脚部３が平行に設けられた係合凹部４が形成される。この係合凹部４は、その平行な内面が後述するスクリーン保持棒支持部６の第１段目の突起７の両側の平行な平面に接して回転不能に係合する。
【００２２】
係合凹部４の奥の面の中央には、軸方向に突起係合穴５が形成され、この突起係合穴５は、後述するスクリーン保持棒支持部６の第２段目の突起８と係合してセンタリングにより位置決めされる。なお突起８の上部の周縁は、突起係合穴５に挿入しやすいように面取りされている。
【００２３】
スクリーン保持棒支持部６は、筒の下端に固定部材９で固定され、スクリーン保持棒下端係合部２が挿入されて係合してスクリーン保持棒１を支持する。スクリーン保持棒支持部６には、スクリーン保持棒下端係合部１の係合凹部４と係合する第１段目の突起７が形成される。
【００２４】
さらに第１段目の突起７に次いで第２段目の突起８が段状に形成される。第２段目の突起８はスクリーン保持棒下端係合部２の突起係合穴５に挿入されて係合する。
【００２５】
第１段目の突起７の両側面は、係合凹部４の脚部３の内面に合わせて平行な平面に形成され、平行な平面の係合によりスクリーン保持棒とスクリーン保持棒支持部が互いに回転しないので、ずれを防止することができる。
【００２６】
また、第２段目の突起８はスクリーン保持棒下端係合部２の突起係合穴５に挿入されて係合してスクリーン保持棒１を筒の中心に向かってセンタリングさせることができる。
【００２７】
本発明の電磁分離機の使用方法について説明する。
【００２８】
スクリーン保持棒１をスクリーンの環状貫通部に通して複数のスクリーンを上下方向に多層に保持し、スクリーン保持棒下端係合部２を筒の下端に固定部材９で固定されたスクリーン保持棒支持部６に挿入し、係合凹部４と第１段目の突起７、突起係合穴５と第２段目の突起8を係合させて支持する。その後、スクリーン保持棒１の上部を筒に固定することによりスクリーンが筒内にセットされる。
【００２９】
スクリーンのセット完了後は、前述のとおり、筒の上部から内部に供給された粉体中から磁性異物が、電磁石により磁化されたスクリーンに磁着し、分離される。
【符号の説明】
【００３０】
１：スクリーン保持棒
２：スクリーン保持棒下端係合部
３：脚部
４：係合凹部
５：突起係合穴
６：スクリーン保持棒支持部
７：第１段目の突起
８：第２段目の突起
９：固定部材
１０：スクリーン
１１：スクリーン保持棒
１２：筒
１３：電磁石
１４：バイブレーター
１５：製品排出口
１６：磁性異物排出口
１７：シリンダ
１８：ダンパ
１９：グレード
２０：支持部材
２１：貫通部
２２：固定部材
２３：スクリーン保持棒支持部
２４：挿入部
２５：挿入部支持凹部
【図１】
2015020151.tif 000003
【図２】
2015020151.tif 000004
【図３】
2015020151.tif 000005
【図４】
2015020151.tif 000006
【図５】
2015020151.tif 000007